(57)【要約】  【課題】  メダル投入口から投入口挿入式不正器具を挿入してメダル検出手段を誤動作させることによる不正行為を防止できる遊技機を提供する。  【解決手段】  メダル投入口に投入されたメダルをメダル貯留部側に流下させる案内通路３１と、メダル選別位置Ａにおいて不適正メダルを案内通路３１から除去する不適正メダル除去手段３２と、メダル選別位置Ａよりも下流側で案内通路３１を流下するメダルを検出する適正メダルカウント用検出手段３３と、適正メダルカウント用検出手段３３よりも上流側に設けられ且つ案内通路３１を流下するメダルから受ける機械的動作に基づいてメダルを検出する判定用検出手段３４とを備え、判定用検出手段３４からの検出信号と適正メダルカウント用検出手段３３からの検出信号とに基づいてメダル投入が適正であるか否かを判定するように構成されている。【選択図】  図６
2007000426.tif 000002
【特許請求の範囲】
【請求項１】
メダル投入口（１７）と、該メダル投入口（１７）の下流側に設けられ且つ前記メダル投入口（１７）に投入されたメダルをメダル貯留部（１０）側に流下させる案内通路（３１）と、メダル選別位置（Ａ）において不適正メダルを前記案内通路（３１）から除去する不適正メダル除去手段（３２）と、前記メダル選別位置（Ａ）よりも下流側で前記案内通路（３１）を流下するメダルを検出する適正メダルカウント用検出手段（３３）とを備えた遊技機において、前記適正メダルカウント用検出手段（３３）よりも上流側に設けられ且つ前記案内通路（３１）を流下するメダルから受ける機械的動作に基づいて該メダルを検出する判定用検出手段（３４）を備え、該判定用検出手段（３４）からの検出信号と前記適正メダルカウント用検出手段（３３）からの検出信号とに基づいてメダル投入が適正であるか否かを判定するように構成されていることを特徴とする遊技機。
【請求項２】
前記判定用検出手段（３４）によるメダル検出に基づいて判定用メダル計数値ＭＣＮＴに所定値Ｘを加算又は減算し、前記適正メダルカウント用検出手段（３３）によるメダル検出に基づいて前記判定用メダル計数値ＭＣＮＴから前記所定値Ｘを減算又は加算するように構成され、前記適正メダルカウント用検出手段（３３）によるメダル検出後の前記判定用メダル計数値ＭＣＮＴの値が第１適正範囲内にないことを条件にそのメダル投入が不適正であると判定するように構成されていることを特徴とする請求項１に記載の遊技機。
【請求項３】
前記適正メダルカウント用検出手段（３３）によるメダル検出時点で既に前記判定用検出手段（３４）により検出されている後続メダルの数の最大値がＹ個となるように構成されている場合に、前記第１適正範囲を０≦ＭＣＮＴ≦Ｘ×Ｙ、又は−Ｘ×Ｙ≦ＭＣＮＴ≦０としたことを特徴とする請求項２に記載の遊技機。
【請求項４】
前記判定用検出手段（３４）によるメダル検出後に前記判定用メダル計数値ＭＣＮＴの値が第２適正範囲内にないことを条件にそのメダル投入が不適正であると判定するように構成されていることを特徴とする請求項２又は３に記載の遊技機。
【請求項５】
前記適正メダルカウント用検出手段（３３）によるメダル検出時点で既に前記判定用検出手段（３４）により検出されている後続メダルの数の最大値がＹ個となるように構成されている場合に、０≦αとして、前記第２適正範囲をＭＣＮＴ≦Ｘ×（Ｙ＋１）＋α、又は−Ｘ×（Ｙ＋１）−α≦ＭＣＮＴとしたことを特徴とする請求項４に記載の遊技機。
【請求項６】
前記判定用検出手段（３４）によるメダル検出状態の継続時間が上限値を超えたことを条件にそのメダル投入が不適正であると判定するように構成されていることを特徴とする請求項１〜５の何れかに記載の遊技機。
【請求項７】
所定のメダル受付不可期間中に前記判定用検出手段（３４）によるメダル検出があることを条件にそのメダル投入が不適正であると判定するように構成されていることを特徴とする請求項１〜６の何れかに記載の遊技機。
【請求項８】
前記判定用検出手段（３４）によるメダル検出から前記適正メダルカウント用検出手段（３３）によるメダル検出までの経過時間が第３適正範囲内にないことを条件にそのメダル投入が不適正であると判定するように構成されていることを特徴とする請求項１〜７の何れかに記載の遊技機。
【請求項９】
前記判定用検出手段（３４）を、前記メダル選別位置（Ａ）よりも下流側でメダルを検出するように配置したことを特徴とする請求項１〜８の何れかに記載の遊技機。
【発明の詳細な説明】
【技術分野】
【０００１】
本発明は、スロットマシン等、遊技媒体としてメダルを用いる遊技機に関するものである。
【背景技術】
【０００２】
遊技媒体としてメダルを用いるスロットマシン等の遊技機には、メダル投入口に投入されたメダルのうち、不適正メダルを返却通路側に案内し、適正メダルのみを内部のメダル貯留部側に流下させるメダル選別手段が設けられている。
【０００３】
このメダル選別手段は、メダル投入口の下流側に設けられ且つメダル投入口に投入されたメダルをメダル貯留部側に流下させる案内通路と、この案内通路上に設けられ且つ不適正メダルを案内通路上から返却通路側に除去する不適正メダル除去手段と、この不適正メダル除去手段よりも下流側に配置され且つ案内通路を流下するメダルを検出する適正メダル検出手段とを備え、不適正メダル除去手段により除去されることなく案内通路を流下した適正メダルを適正メダル検出手段により検出して、その検出個数に基づいて例えばクレジットを加算するようになっている（例えば特許文献１参照）。
【０００４】
なお、適正メダル検出手段は、メダルの流下方向に沿って１又は複数、例えば２個隣接して配置されたフォトセンサ等により構成されており、例えばそれら２つのフォトセンサの検出タイミングが所定条件を満たす場合にのみ正常な検出と判断することにより、不正行為等による誤検出を排除するようになっている。
【特許文献１】特開２００４−２０６４８５号公報
【発明の開示】
【発明が解決しようとする課題】
【０００５】
上記のようなメダル選別手段を搭載した従来の遊技機では、次のような手口で不正にクレジットを増加させる行為が横行して大きな問題となっている。即ち、この不正行為は、メダル投入口から案内通路に沿って挿入可能な細長薄板状のアーム部の先端に、メダル検出手段の位置に一致するように発光手段等の信号出力部を配置した器具（以下、投入口挿入式不正器具という）を用い、遊技ホールにおいてその器具を密かに遊技機のメダル投入口にセットすると共に信号出力部から所定の信号を出力させてメダル検出手段を誤動作させることにより、メダルを投入することなくクレジットを増加させるものである。
【０００６】
この種の器具を用いた不正行為は、その遊技機に合わせて作られた器具さえあれば誰でも簡単に実行することが可能で、また器具がメダル投入口へ挿入されてしまうと周囲からは分かりにくく、発見が難しいという問題点がある。
【０００７】
本発明は、このような従来の問題点に鑑み、メダル投入口から投入口挿入式不正器具を挿入してメダル検出手段を誤動作させることによる不正行為を防止できる遊技機を提供することを目的とする。
【課題を解決するための手段】
【０００８】
本発明は、メダル投入口１７と、該メダル投入口１７の下流側に設けられ且つ前記メダル投入口１７に投入されたメダルをメダル貯留部１０側に流下させる案内通路３１と、メダル選別位置Ａにおいて不適正メダルを前記案内通路３１から除去する不適正メダル除去手段３２と、前記メダル選別位置Ａよりも下流側で前記案内通路３１を流下するメダルを検出する適正メダルカウント用検出手段３３とを備えた遊技機において、前記適正メダルカウント用検出手段３３よりも上流側に設けられ且つ前記案内通路３１を流下するメダルから受ける機械的動作に基づいて該メダルを検出する判定用検出手段３４を備え、該判定用検出手段３４からの検出信号と前記適正メダルカウント用検出手段３３からの検出信号とに基づいてメダル投入が適正であるか否かを判定するように構成されているものである。
【発明の効果】
【０００９】
本発明によれば、不正を行うためには適正メダルカウント用検出手段３３の他にメカスイッチたる判定用検出手段３４をも同時に誤動作させる必要があり、適正メダルカウント用検出手段３３を電気的に誤動作させることにより不正にクレジットを増加させる従来の投入口挿入式不正器具を用いた不正行為が不可能となることはもちろん、新たな不正器具による不正行為を効果的に防止できる利点がある。
【発明を実施するための最良の形態】
【００１０】
以下、本発明の実施形態を図面に基づいて詳述する。図１〜図２１は、本発明をスロットマシンとして具現化した第１の実施形態を例示している。図１及び図２において、１は遊技機本体で、前側が開放した矩形箱状の本体ケース２と、この本体ケース２の前側に配置された矩形状の前面パネル３とを備えている。
【００１１】
本体ケース２は、その上下方向略中央部分に内部空間を上下に仕切るように中間支持板４が略水平に配置されており、その中間支持板４上に、図柄表示リール５ａ〜５ｃを左右方向に備えた表示リールユニット６が配置され、中間支持板４よりも下側に、メダル払い出し装置７、メダル補助ケース８、電源ユニット９等が配置されている。
【００１２】
メダル払い出し装置７は、払い出し用のメダルを貯留するメダルホッパー（メダル貯留部）１０、このメダルホッパー１０内のメダルを払い出すメダル払い出し手段１１、メダルホッパー１０から溢れたメダル等の余剰メダルをメダル補助ケース８側に排出する余剰メダル排出口１２等を備えている。
【００１３】
前面パネル３は、左右一端側に配置されたヒンジを介して本体ケース２に対して開閉自在に装着されており、その上部には、本体ケース２内の図柄表示リール５ａ〜５ｃに対応する３つの表示窓１３ａ〜１３ｃが左右方向に配置されている。
【００１４】
また、例えば表示窓１３ａ〜１３ｃの下側には、クレジット枚数を表示するクレジット表示手段１４と獲得メダル数を表示する獲得メダル表示手段１５とが左右に配置され、更にその下側に横長状に設けられた操作パネル部１６には、遊技媒体としてのメダルを投入可能なメダル投入口１７、このメダル投入口１７内に詰まったメダルを返却させるための返却ボタン１８の他、メダル投入口１７へのメダル投入に代えてクレジットからメダルをベットするための１投入ボタン１９及びマックス投入ボタン２０、獲得したメダルをクレジットするか払い出すかの設定を切り換えるためのクレジット精算ボタン２１、図柄表示リール５ａ〜５ｃの回転を開始させるためのスタートレバー２２、回転中の図柄表示リール５ａ〜５ｃを夫々個別に停止させるためのストップボタン２３ａ〜２３ｃ等が設けられている。
【００１５】
メダル投入口１７は、例えば左右方向に長い細長状の開口部１７ａを上向きに備えており、この開口部１７ａにメダルを１枚ずつ投入可能となっている。また、返却ボタン１８は例えばメダル投入口１７に隣接して配置されている。
【００１６】
前面パネル３の下端部前側には、メダル払い出し手段１１から払い出されたメダル等を前側に排出するための排出口２４が設けられ、その前側に、排出口２４から排出されたメダルを受けるメダル受け皿２５が横長状に配置されている。
【００１７】
前面パネル３の裏側には、メダル投入口１７に投入されたメダルの選別を行うメダル選別手段２６、このメダル選別手段２６により不適正と判別されたメダルを排出口２４側に案内する返却通路２７等が設けられている。
【００１８】
メダル選別手段２６は、メダル投入口１７に投入されたメダルが適正か否かを判別して、不適正メダルをメダル受け皿２５側に返却し、適正メダルのみを検出してメダルホッパー１０に収容させるもので、図３〜図１０に示すように、選別装置本体２８上に、メダル投入口１７の下流側に設けられ且つメダル投入口１７に投入されたメダルをメダルホッパー１０側に向けて流下させる案内通路３１、所定のメダル選別位置Ａにおいて不適正メダルを案内通路３１から除去する不適正メダル除去手段３２、このメダル選別位置Ａよりも下流側で案内通路３１を流下する適正メダルを検出する適正メダルカウント用検出手段３３、メダル選別位置Ａよりも下流側で且つ適正メダルカウント用検出手段３３よりも上流側において案内通路３１を流下するメダルを検出する判定用検出手段３４等が設けられている。
【００１９】
選別装置本体２８は、前面パネル３の裏側で且つメダル投入口１７の下側に着脱自在に装着されたベースプレート４１と、このベースプレート４１の前面側に装着された除去案内プレート４２と、ベースプレート４１の裏面側に装着された上流側カバープレート４３及び下流側カバープレート４４等を備えている。
【００２０】
ベースプレート４１は、例えば金属板により左右方向の横長状に形成されており、鉛直よりも若干後下がりの傾斜状となるように前面パネル３の裏側で且つメダル投入口１７の下側に着脱自在に装着されている。
【００２１】
ベースプレート４１には、図６等より明らかなように、後ろ向きに突出する所定幅のメダル案内レール４５が左側縁部から下縁部にかけて形成され、このメダル案内レール４５に沿って案内通路３１が左下がりの傾斜状に形成されており、案内通路３１の上流端側がメダル投入口１７の下側に連通する通路入口３１ａ、下流端側がメダルホッパー１０側への通路出口３１ｂとなっている。
【００２２】
なお、メダル案内レール４５は、メダル選別位置Ａの下流側の不許可戻し位置Ｂに対応する所定範囲で切り欠かれてメダル落とし孔５５が形成されている。また、ベースプレート４１には、通路出口３１ｂから排出されたメダルをメダルホッパー１０側に案内するシュート部４１ａが例えば一体に設けられている。
【００２３】
また、ベースプレート４１には、案内通路３１上のメダル選別位置Ａに対応して例えば略矩形状の開口窓４６が形成されている。この開口窓４６の下縁部とメダル案内レール４５との間には、開口窓４６の前側を通過するメダルの下端側を前側から保持する所定幅の下ガイド４７が形成されている。また、ベースプレート４１には、開口窓４６の前側を通過するメダルの上端側を前側から保持する上ガイド４８を備えたガイド部材４９が例えば背面側に着脱自在に装着されている。上ガイド４８は、案内通路３１を流下する適正メダルの上端側に僅かに掛かる程度に、開口窓４６の上縁部よりも下側に突出している。即ち、案内通路３１を流下する適正メダルは、その下端側を下ガイド４７により、上端側を上ガイド４８により夫々前側から保持された状態で開口窓４６の後側を通過するようになっている。
【００２４】
除去案内プレート４２は、図５，図７等に示すように、上側の支持板部４２ａと下側の案内板部４２ｂとを断面くの字状に一体に備えており、開口窓４６の前側に配置され、支持板部４２ａの上端側において、ベースプレート４１の上縁側に沿って設けられた回転軸４９ａを介して揺動自在に支持されている。なお、回転軸４９ａは案内通路３１に平行に配置されている。
【００２５】
除去案内プレート４２は、案内板部４２ｂの横幅が開口窓４６の横幅よりも若干小さく形成されており、案内板部４２ｂが開口窓４６の前側近傍に位置する通常案内状態（図７（ａ），（ｃ））と、案内板部４２ｂが開口窓４６内に進出する強制案内状態（図７（ｂ））との間で揺動可能となっている。なお、案内板部４２ｂは、通常案内状態と強制案内状態との何れにおいても後下がりの傾斜状となっており、通常案内状態においては、その下縁側が案内通路３１を流下するメダルの中心よりも低い位置に対応するように構成されている。
【００２６】
また、除去案内プレート４２は、例えば回転軸４９ａに設けられたバネ部材５０により通常案内状態側に弾性付勢されており、返却ボタン１８が押し下げられたときに、連動部材５１を介して強制案内状態まで揺動するようになっている。
【００２７】
なお、連動部材５１は、ベースプレート４１の前側にその長手方向の略中央部分において前後方向の回転軸５１ａ廻りに回転自在に支持されており、返却ボタン１８の押し下げ動作に連動してその一端側が押し下げられ、それによって上昇した他端側が、後下がりの傾斜状となっている案内板部４２ｂの前面側を上向きに押し上げることにより、除去案内プレート４２を前向きに揺動させるようになっている（図７（ａ）→（ｂ））。
【００２８】
上流側カバープレート４３は、図３，図７等に示すように、案内通路３１における通路入口３１ａ又はその下流側近傍からメダル選別位置Ａまでを後側から略覆うようにベースプレート４１の背面側に沿って配置され、例えばその上部側において、除去案内プレート４２の回転軸４９ａと同芯の回転軸４９ｂを介して揺動自在に支持されており、例えば除去案内プレート４２と同じバネ部材５０によりベースプレート４１側に弾性付勢されている。バネ部材５０により弾性付勢された状態の上流側カバープレート４３とベースプレート４１との間には、適正メダルが１枚通過可能な隙間が形成されている。
【００２９】
また、上流側カバープレート４３には、その下流側端部の下部側に、開口窓４６に対応して切欠部４３ａが設けられている。更に、上流側カバープレート４３は、返却ボタン１８が操作されて除去案内プレート４２が通常案内状態から強制案内状態まで揺動する際に、除去案内プレート４２側に設けられた連動突起５２に押されて後ろ向き、即ちベースプレート４１から離れる方向に揺動するようになっている（図７（ａ）→（ｂ））。
【００３０】
下流側カバープレート４４は、案内通路３１における開口窓４６の下流側の不許可戻し位置Ｂから通路出口３１ｂ又はその上流側近傍までを後側から略覆うようにベースプレート４１の背面側に沿って配置され、例えばその上部側において、ベースプレート４１の上縁側に沿って設けられた回転軸５３を介して揺動自在に支持されており、バネ部材５４によりベースプレート４１側に弾性付勢されている。バネ部材５４により弾性付勢された状態の下流側カバープレート４４とベースプレート４１との間には、適正メダルが１枚通過可能な隙間が形成されている。
【００３１】
また、例えば下流側カバープレート４４の後側には、メダル落とし孔５５を開閉可能なメダル落とし孔開閉手段５６が設けられている。このメダル落とし孔開閉手段５６は、図３，図８等に示すように、開閉プレート５７と、この開閉プレート５７を駆動するブロッカーソレノイド５８とを備えている。開閉プレート５７は、下流側カバープレート４４の後側に所定距離を置いて略平行に配置された支持プレート部５７ａと、この支持プレート部５７ａの下縁部から前向きに延設された開閉プレート部５７ｂとを例えば一体に備えた断面略Ｌ字型に形成され、支持プレート部５７ａの上端側において案内通路３１に平行な軸廻りに揺動自在な状態で下流側カバープレート４４側の支持ブラケット５９に支持されている。
【００３２】
開閉プレート５７は、開閉プレート部５７ｂがメダル落とし孔５５を閉鎖してメダルを下流側に案内するメダル案内状態（図８（ａ））と、開閉プレート部５７ｂがメダル落とし孔５５を開放してこのメダル落とし孔５５からメダルを落下させるメダル落とし状態  （図８（ｂ））との間で揺動可能であり、バネ部材６０によりメダル落とし状態側に弾性付勢されている。
【００３３】
なお、開閉プレート５７の開閉プレート部５７ｂには揺動規制孔５７ｃが形成され、この揺動規制孔５７ｃに、下流側カバープレート４４側の揺動規制片４４ａが遊嵌しており、
開閉プレート５７がメダル落とし状態まで揺動したときに揺動規制片４４ａが揺動規制孔５７ｃの一端側に当接して、開閉プレート５７の揺動をその位置で規制するようになっている（図８（ｂ））。
【００３４】
ブロッカーソレノイド５８は、支持プレート部５７ａの前側に対応して下流側カバープレート４４の背面側に装着されており、ＯＮ状態のときに、バネ部材６０の付勢力に抗して支持プレート部５７ａを引きつけることにより開閉プレート５７をメダル案内状態に保持するようになっている。
【００３５】
なお、ブロッカーソレノイド５８は、遊技機本体１の電源投入中は、所定のメダル受付不可期間を除いてＯＮ状態に保持されるようになっている。ここで、メダル受付不可期間は、例えばクレジット枚数が所定の上限値（例えば５０枚）に達している場合、遊技が開始されている場合、動作異常の場合、再遊技作動中の場合等である。
【００３６】
適正メダルカウント用検出手段３３は、図３〜図６，図９，図１０に示すように、メダルの流下方向に沿って１又は複数、例えば２個隣接して配置された第１，第２適正メダルスイッチ６１，６２を備え、不許可戻し位置Ｂよりも下流側に配置されている。
【００３７】
第１，第２適正メダルスイッチ６１，６２は、例えば透過型フォトセンサにより構成されており、図１０に示すように、投光部６１ａ，６２ａと受光部６１ｂ，６２ｂとが案内通路３１の例えば上部側を挟んで前後に対向するように配置され、例えば支持ブラケット３３ａを介して下流側カバープレート４４側に着脱自在に固定されている。
【００３８】
判定用検出手段３４は、案内通路３１を流下するメダルから受ける機械的動作に基づいてメダルを検出するもので、例えばメダル落とし孔５５上の不許可戻し位置Ｂに対応して配置されており、図５，図６，図８，図９等に示すように、作動片６３が案内通路３１側に突出した非作動状態と、案内通路３１内を流下するメダルに押されて作動片６３が案内通路３１の外側に向けて待避した作動状態とに変化可能な作動部材６４と、この作動部材６４が作動状態にあることを検出する判定用スイッチ６５とを備えている。
【００３９】
作動部材６４は、例えばベースプレート４１の前面側に配置され、略上下方向の軸廻りに回転可能に支持された回転軸部６６と、この回転軸部から案内通路３１の下流側に向けて突設された回転アーム部６７と、この回転アーム部６７の先端側から後ろ向きに突設された作動片６３と、回転アーム部６７の先端側から所定方向、例えば案内通路３１の下流側に向けて延設された検出片６８とを例えば一体に備えている。
【００４０】
また、作動部材６４は、作動片６３がベースプレート４１側の貫通孔６９を介して案内通路３１側に突出した非作動状態（図９（ａ））と、作動片６３が案内通路３１の外側、即ち前側に向けて待避した作動状態（図９（ｂ））との間で揺動可能であり、バネ部材７０により非作動状態側に弾性付勢されている。なお、作動片６３の先端側縁部は、非作動状態のときに案内通路３１の上流側から下流側に向けて徐々に案内通路３１側への突出量が大きくなる傾斜状に形成されている。
【００４１】
判定用スイッチ６５は、例えば透過型フォトセンサにより構成されており、作動部材６４が作動状態になったときに検出片６８を検出する位置に配置されている。
【００４２】
なお、作動部材６４、判定用スイッチ６５等は、１つの装着フレーム７１を介してベースプレート４１の前側に着脱自在に装着されている。
【００４３】
以上のような構成を有するメダル選別手段２６の動作を簡単に説明する。メダル投入口１７に投入されたメダルは、通路入口３１ａから案内通路３１に入り、前後をベースプレート４１と上流側カバープレート４３とでガイドされた状態でメダル案内レール４５上を転がりながら流下する。そして、そのメダルがメダル選別位置Ａにさしかかると、そのメダルが適正なメダルであれば、その上下両端側を上ガイド４８及び下ガイド４７により前側から保持された状態で開口窓４６を下流側に向けて通過する（図７（ａ））。
【００４４】
一方、適正メダルよりも小径の不適正メダルの場合には、メダル選別位置Ａにさしかかったとき、その上端側は上ガイド４８により支持されず、下端側のみが下ガイド４７により前側から支持されるため、上端側から開口窓４６を介して前側の案内板部４２ｂ上に倒れ込み、その案内板部４２ｂの傾斜に案内されて、上流側カバープレート４３側の切欠部４３ａを介して下側の返却通路２７側に落下し、メダル受け皿２５側に返却される（図７（ｃ））。
【００４５】
以上のように、不適正メダルをメダル選別位置Ａにおいて案内通路３１上から除去する不適正メダル除去手段３２は、開口窓４６、上ガイド４８、下ガイド４７、除去案内プレート４２、上流側カバープレート４３の切欠部４３ａ等により構成されている。
【００４６】
また、例えば適正メダルよりも厚い不適正メダルがメダル投入口１７に投入された場合には、通路入口３１ａから案内通路３１に入ったところでベースプレート４１と上流側カバープレート４３との間に挟まれて流下が阻止される。この状態で、遊技者が返却ボタン１８を押し下げると、連動部材５１を介して除去案内プレート４２が強制案内状態まで後ろ向きに揺動し、それに連動して上流側カバープレート４３も後ろ向きに揺動してベースプレート４１から離間する（図７（ｂ））。これにより、ベースプレート４１と上流側カバープレート４３との間に挟まれていた不適正メダルはメダル案内レール４５に沿って流下し、メダル選別位置Ａにおいて開口窓４６内に突出した案内板部４２ｂにより前側に案内されて下側の返却通路２７側に落下し、メダル受け皿２５側に返却される。
【００４７】
例えばクレジット枚数が上限値（５０枚）に達している場合等のメダル受付不可期間中でなければ、ブロッカーソレノイド５８はＯＮ状態に保持され、開閉プレート５７は、開閉プレート部５７ｂがメダル落とし孔５５を閉鎖してメダルを下流側に案内するメダル案内状態となっている（図８（ａ））。従って、不適正メダル除去手段３２により除去されることなくメダル選別位置Ａを通過した適正メダルは、メダル受付不可期間中以外は、メダル落とし孔５５から落下することなく案内通路３１に沿って不許可戻し位置Ｂを通過する。
【００４８】
この不許可戻し位置Ｂを通過する際に、メダルは案内通路３１側に突出している作動片６３を案内通路３１の外側に押しやりながら流下する（図９（ａ）→（ｂ））。作動片６３がメダルに押されている所定時間の間は、作動部材６４が揺動して非作動状態から作動状態となり、判定用スイッチ６５が検出片６８を検出してＯＮ状態となる。
【００４９】
なお、メダル受付不可期間中は、ブロッカーソレノイド５８はＯＦＦ状態となり、メダル落とし孔５５が開放されているため（図８（ｂ））、不適正メダル除去手段３２により除去されることなくメダル選別位置Ａを通過した適正メダルはこのメダル落とし孔５５から返却通路２７側に落下してメダル受け皿２５側に返却されるが、本実施形態では、その際にもメダルが作動片６３を押して、判定用スイッチ６５が所定時間ＯＮ状態となる。
【００５０】
案内通路３１に沿って不許可戻し位置Ｂを通過した適正メダルは、第１，第２適正メダルスイッチ６１，６２により順次検出された後、通路出口３１ｂから排出され、シュート部４１ａによりメダルホッパー１０側に案内される。
【００５１】
図１１は上記スロットマシンの制御系のブロック図である。この制御系は、主として遊技状態に関する制御を行う遊技制御手段８１と、演出に関する制御を行う演出制御手段８２とで構成されている。遊技制御手段８１と演出制御手段８２とは別個の基板上に設けられており、例えば遊技制御手段８１には、図柄表示リール５ａ〜５ｃ、スタートレバー２２、ストップボタン２３ａ〜２３ｃ、投入ボタン１９，２０、判定用検出手段３４、適正メダルカウント用検出手段３３、ブロッカーソレノイド５８、クレジット表示手段１４、獲得メダル表示手段１５、クレジット精算ボタン２１、メダル払い出し手段１１等が接続され、演出制御手段８２には、ランプ８３、スピーカ８４等が接続されている。なお、演出制御手段８２は、遊技制御手段８１から送信される制御コマンドに基づいて制御を行うようになっている。
【００５２】
遊技制御手段８１は、ＣＰＵ、ＲＯＭ、ＲＡＭ等により構成され、ＲＯＭ上には遊技制御処理プログラムが予め記憶されており、この遊技制御処理プログラムを１ゲーム毎にＣＰＵ上で実行することにより図１２に示す遊技制御処理が行われるようになっている。
【００５３】
遊技制御処理においては、図１２に示すように、まずＲＡＭクリア処理（Ｓ１）が行われ、続いてゲーム開始の条件となるメダル投入処理（Ｓ２）が行われる。メダル投入処理（Ｓ２）において所定数（ここでは３枚）のメダルの投入が確認されるとゲームが可能な状態となる。
【００５４】
その後、遊技者がスタートレバー２２を操作すると、所定の抽選用乱数を抽出する乱数抽出処理（Ｓ３）が行われ、その抽出乱数値に基づいて、図柄が予め設定された大当たり態様となる組み合わせで停止することを許可するか否か等を決定するための図柄抽選処理（Ｓ４）が行われると共に、図柄変動開始処理（Ｓ５）により３つの図柄表示リール５ａ〜５ｃが同時に回転を開始する。
【００５５】
図柄表示リール５ａ〜５ｃの回転が安定した後、遊技者がストップボタン２３ａ〜２３ｃを任意の順序で操作すると、図柄変動停止処理（Ｓ６）により各図柄表示リール５ａ〜５ｃの回転が所定コマ数（例えば０〜４コマ）の滑り動作を伴って停止される。これにより、図柄抽選処理（Ｓ４）において大当たり態様等の所定の態様で停止することが許可されている場合には、遊技者のストップボタン２３ａ〜２３ｃの操作タイミングに応じて大当たり態様等若しくは外れ態様で停止し、大当たり態様等の所定の態様で停止することが許可されていない場合には、遊技者のストップボタン２３ａ〜２３ｃの操作タイミングと関係なく必ず外れ態様で停止する。
【００５６】
全ての図柄表示リール５ａ〜５ｃが停止すると、入賞判定処理（Ｓ７）により、所定の入賞ライン上に停止表示されている図柄の組み合わせが、大当たり態様、小当たり態様、小役態様、リプレイ態様、外れ態様等の何れであるかが判定される。そして、その判定結果が大当たり態様判定、小当たり態様判定、小役態様判定の何れかであった場合には、メダル払出処理（Ｓ８）により、予め定められた枚数のメダルがクレジット枚数に加算されるか、又はメダル払い出し手段１１の駆動によりメダル受け皿２５に払い出される。
【００５７】
この獲得メダル枚数は獲得メダル表示手段１５に表示され、クレジット枚数が加算された場合にはクレジット表示手段１４に表示されているクレジット枚数の値が更新される。
【００５８】
その後、例えば入賞判定処理（Ｓ７）によりリプレイ態様、大当たり態様、小当たり態様の何れかと判定された場合には（Ｓ９，Ｓ１１又はＳ１３：Ｙｅｓ）、再遊技開始処理（Ｓ１０），ＢＢ（ビッグボーナス）開始処理（Ｓ１２），又はＲＢ（レギュラーボーナス）開始処理（Ｓ１４）が行われる。
【００５９】
また、ＢＢ中、ＲＢ中の何れかであれば（Ｓ１５又はＳ１７：Ｙｅｓ）、所定のＢＢ中処理（Ｓ１６）又はＲＢ中処理（Ｓ１８）が行われ、遊技制御処理は修了する。
【００６０】
また、遊技制御手段８１では以上のような遊技制御処理が１ゲーム毎に実行される他、その遊技制御処理の実行中、所定時間毎（例えば１．４９０ｍｓ毎）に図１３に示す定期割り込み処理が実行されるようになっている。
【００６１】
以下、その定期割り込み処理と、上記遊技制御処理のうちのメダル投入処理（Ｓ２）についてより具体的な処理手順を説明する。
【００６２】
定期割り込み処理（図１３）では、判定用検出手段３４のＯＮ／ＯＦＦ状態が前回の定期割り込み処理時からどのように変化したかが判定され（Ｓ２１，Ｓ２５，Ｓ２９）、その判定結果に応じて所定の処理が行われる。
【００６３】
即ち、例えば判定用検出手段３４の状態がＯＦＦからＯＮに変化した場合には（Ｓ２１：Ｙｅｓ）、それがゲーム中であれば（Ｓ２２：Ｙｅｓ）エラーフラグがＯＮに設定され（Ｓ２３）、ゲーム中でなければ（Ｓ２２：Ｎｏ）判定用検出時間タイマーに初期値がセットされ（Ｓ２４）、定期割り込み処理は終了する。
【００６４】
この判定用検出時間タイマーにセットされる初期値は、判定用検出手段３４のＯＮ状態の継続時間（メダル検出信号の立ち上がりから立ち下がりまでの時間）の許容上限値に対応する値に設定される。この許容上限値は、適正メダルの投入により判定用検出手段３４がＯＮ状態となる場合のその継続時間よりも若干長い時間に設定すればよい。本実施形態では、判定用検出手段３４のＯＮ状態の継続時間の許容上限値を約２００ｍｓとし、判定用検出時間タイマーに初期値として１３４（≒２００／１．４９０）を設定するものとする。
【００６５】
判定用検出手段３４の状態が前回のＯＮ状態から変化していない場合には（Ｓ２５：Ｙｅｓ）、判定用検出時間タイマーの値が減算され（Ｓ２６）、その減算後のタイマー値が０であれば、即ち判定用検出手段３４のＯＮ状態の継続時間（以下、判定用検出時間という）が許容上限値に達した場合には（Ｓ２７：Ｙｅｓ）、エラーフラグがＯＮに設定され（Ｓ２８）、定期割り込み処理は終了する。
【００６６】
判定用検出手段３４の状態がＯＮからＯＦＦに変化した場合には（Ｓ２９：Ｙｅｓ）、メダルカウント数ＭＣＮＴに所定数Ｘ（ここでは１）が加算され（Ｓ３０）、その加算後のメダルカウント数ＭＣＮＴの値が適正範囲（第２適正範囲）内にない場合には（Ｓ３１：Ｙｅｓ）、エラーフラグがＯＮに設定され（Ｓ３２）、定期割り込み処理は終了する。なお、Ｓ３０による加算後のメダルカウント数ＭＣＮＴの値の適正範囲は、適正メダルカウント用検出手段３３によるメダル検出時点で既に判定用検出手段３４により検出されている後続メダルの数の最大値をＹ個（ここでは１個）（図６参照）とすると、０≦αとして、ＭＣＮＴ≦Ｘ×（Ｙ＋１）＋αとすればよい。本実施形態では、αを３として、メダルカウント数ＭＣＮＴの値の適正範囲をＭＣＮＴ≦５に設定している。即ち、Ｓ３１でメダルカウント数ＭＣＮＴの値が５を超えている場合には、エラーフラグがＯＮに設定される。
【００６７】
続いてメダル投入処理（図１４）の具体的手順について説明する。メダル投入処理においては、まずエラーフラグがＯＮに設定されているか否かが判定され（Ｓ４１）、エラーフラグがＯＮに設定されている場合には（Ｓ４１：Ｙｅｓ）、所定のエラー処理が実行される（Ｓ４２）。即ち、直前の定期割り込み処理（図１３）におけるＳ２３，Ｓ２８又はＳ３２でエラーフラグがＯＮになった場合には、ここでエラー処理が実行される。
【００６８】
このエラー処理では、例えば遊技が停止され、音声、ランプ等によりエラーの発生が報知されると共に、ブロッカーソレノイド５８がＯＦＦに切り換えられ、それ以降にメダル投入口１７に投入されたメダルは全てメダル落とし孔５５から返却通路２７内に落下し、メダル受け皿２５に返却される。
【００６９】
続いて、当該ゲームが再遊技であるか否かが判定され（Ｓ４３）、再遊技であれば、再遊技時のメダル投入処理が行われる（Ｓ４４）。即ち、クレジット枚数を減算することなく、またメダル投入口１７からのメダル投入を受け付けることなく、メダル投入枚数の値が例えば３枚にセットされる。
【００７０】
一方、Ｓ４３において当該ゲームが再遊技でないと判定された場合には、メダル投入検出処理が行われる（Ｓ４５）。このメダル投入検出処理（Ｓ４５）は、図１５に示すような手順で行われる。即ち、まずメダル投入枚数の値が既に３枚となっているか否かが判定され（Ｓ６１）、メダル投入枚数が３枚となっている場合には（Ｓ６１：Ｙｅｓ）、更にクレジット枚数がその上限値（例えば５０枚）を超えてメダル受付不可期間に入っていることを条件に（Ｓ６２：Ｙｅｓ）、ブロッカーソレノイド５８がＯＦＦに切り換えられ  （Ｓ６３）、メダル投入検出処理はここで終了する。
【００７１】
ブロッカーソレノイド５８がＯＦＦに切り換えられると、メダル落とし孔開閉手段５６の開閉プレート５７がメダル案内状態からメダル落とし状態に変化するため（図８参照）、メダル投入口１７から投入されたメダルは、それが適正メダルであっても、メダル落とし孔５５から返却通路２７内に落下し、メダル受け皿２５に返却される。
【００７２】
メダル投入枚数が３枚未満である場合（Ｓ６１：Ｎｏ）、又はメダル投入枚数が３枚に達していてもクレジット枚数が上限値（５０枚）に達していない場合（Ｓ６１：Ｙｅｓ→Ｓ６２：Ｎｏ）には、適正メダルカウント用検出手段３３の検出信号の判定処理が行われる（Ｓ６４）。
【００７３】
この適正メダルカウント用検出手段３３の検出信号の判定処理は、適正メダルカウント用検出手段３３を構成する第１，第２適正メダルスイッチ６１，６２からの各検出信号に基づいて、それら検出信号が所定のエラー検出条件を満たしているか否かを判定することにより行われる。このエラー検出条件は例えば図１６のように設定されている。
【００７４】
即ち、第１適正メダルスイッチ６１と第２適正メダルスイッチ６２とが共にＯＦＦのとき（区間ａ）には、第１適正メダルスイッチ６１と第２適正メダルスイッチ６２とが同時にＯＮとなるか、又は第２適正メダルスイッチ６２のみがＯＮとなった場合にエラーと判定される。第１適正メダルスイッチ６１のみがＯＮのとき（区間ｂ）には、第１適正メダルスイッチ６１がＯＦＦとなるか、又は第１適正メダルスイッチ６１のみがＯＮの状態が所定時間（例えば１００ｍｓ）以上継続した場合にエラーと判定される。
【００７５】
第１適正メダルスイッチ６１と第２適正メダルスイッチ６２とが共にＯＮのとき（区間ｃ）には、第２適正メダルスイッチ６２がＯＦＦとなるか、又は第１適正メダルスイッチ６１と第２適正メダルスイッチ６２とが共にＯＮの状態が所定時間（例えば１００ｍｓ）以上継続した場合にエラーと判定される。第２適正メダルスイッチ６２のみがＯＮのとき（区間ｄ）には、第１適正メダルスイッチ６１がＯＮとなるか、又は第２適正メダルスイッチ６２のみがＯＮの状態が所定時間（例えば１００ｍｓ）以上継続した場合にエラーと判定される。
【００７６】
上記エラー検出条件が満たされることなく、適正メダルカウント用検出手段３３からの検出信号が、区間ａから区間ｂ，ｃ，ｄを経由して再び区間ａとなった場合には、適正メダルが正常に投入されたものと判定される。
【００７７】
Ｓ６４において適正メダルの正常投入があったものと判定されなかった場合、即ち、適正メダルカウント用検出手段３３の検出信号が図１６に示すエラー検出条件を満たした場合、又は適正メダルカウント用検出手段３３からの検出信号が図１６に示すエラー検出条件を満たしていないが区間ａから区間ｂ，ｃ，ｄを経由して再び区間ａには未だ至っていない場合には（Ｓ６５：Ｎｏ）、そこでメダル投入検出処理は終了する。
【００７８】
Ｓ６４において適正メダルの正常投入があったものと判定された場合には（Ｓ６５：Ｙｅｓ）、メダルカウント数ＭＣＮＴの値から所定数Ｘ（ここでは１）が減算される（Ｓ６６）。そして、その減算後のメダルカウント数ＭＣＮＴの値が適正範囲（第１適正範囲）内であればメダル投入フラグがＯＮに設定され（Ｓ６７：Ｙｅｓ→Ｓ６９）、適正範囲内にない場合にはエラーフラグがＯＮに設定され（Ｓ６７：Ｎｏ→Ｓ６８）、メダル投入検出処理は終了する。
【００７９】
なお、Ｓ６６による減算後のメダルカウント数ＭＣＮＴの値の適正範囲は、適正メダルカウント用検出手段３３によるメダル検出時点で既に判定用検出手段３４により検出されている後続メダルの数の最大値をＹ個（ここでは１個）（図６参照）とすると、０≦ＭＣＮＴ≦Ｘ×Ｙ、即ち０≦ＭＣＮＴ≦１とすればよい。従って、Ｓ６７においてメダルカウント数ＭＣＮＴの値が０，１の何れでもなければ、エラーフラグがＯＮに設定される。
【００８０】
以上のメダル投入検出処理（Ｓ４５）が終了すると、投入ボタン１９，２０の検出処理が行われる（Ｓ４６）。即ち、投入ボタン１９，２０が操作されることを条件に、クレジット枚数が減算されると共にメダル投入枚数が加算される。
【００８１】
Ｓ４４又はＳ４６の処理が終了すると、メダル投入フラグがＯＮであるか否かが判定される（Ｓ４７）。そして、Ｓ４７においてメダル投入フラグがＯＮであると判定された場合、即ち適正メダルカウント用検出手段３３により正常にメダル検出が行われた場合には、その時点でのメダル投入枚数が既に最大値（例えば３枚）に到達していればクレジット枚数に１が加算され（Ｓ４８：Ｙｅｓ→Ｓ５０）、メダル投入枚数が未だ最大値（例えば３枚）に到達していなければメダル投入枚数に１が加算される（Ｓ４８：Ｎｏ→Ｓ４９）。
【００８２】
そして、メダル投入があり（Ｓ５１：Ｙｅｓ）、スタートレバー２２が操作された場合には（Ｓ５２：Ｙｅｓ）、メダル投入処理はここで終了する。メダル投入がない場合（Ｓ５１：Ｎｏ）、又はメダル投入はあったがスタートレバー２２が未だ操作されていない場合（Ｓ５１：Ｙｅｓ→Ｓ５２：Ｎｏ）には、Ｓ４１以降の処理が繰り返される。ここで、３枚掛け専用機の場合には、Ｓ５１ではメダル投入枚数の値が最大値である３枚に到達しているか否かを判定すればよい。
【００８３】
なお、直前のＳ６８においてエラーフラグがＯＮに設定された場合には、メダル投入フラグがＯＮに設定されないため、Ｓ４８においてメダル投入枚数に１が加算されることはなく、次の繰り返し処理におけるＳ４２でエラー処理が行われる。
【００８４】
図１７（ａ），（ｂ）は、適正メダルがゲーム開始前に正常投入された場合の判定用検出手段３４と適正メダルカウント用検出手段３３との検出履歴の一例である。まず図１７（ａ）は、適正メダルが１個のみ投入された場合の例を示している。この場合には、判定用検出手段３４のＯＦＦ→ＯＮへの立ち上がり時点（Ｔ１１）がゲーム開始前であるため、Ｓ２３においてエラーフラグがＯＮに設定されることはない。また、判定用検出手段３４がＯＮになってからＯＦＦとなるまで（Ｔ１１→Ｔ１２）の判定用検出時間が２００ｍｓ以下であるため、Ｓ２８においてエラーフラグがＯＮに設定されることはない。また、判定用検出手段３４のＯＮ→ＯＦＦへの立ち下がり時点（Ｔ１２）での１加算後のメダルカウント数ＭＣＮＴの値が１であり、ＭＣＮＴ＞５の条件を満たしていないため、Ｓ３２においてエラーフラグがＯＮに設定されることはない。
【００８５】
更に、適正メダルカウント用検出手段３３によるメダル検出時点（Ｔ１３）での１減算後のメダルカウント数ＭＣＮＴの値が０であり、０≦ＭＣＮＴ≦１の条件を満たしているため、Ｓ６８においてエラーフラグがＯＮに設定されることはない。
【００８６】
従って、図１７（ａ）の場合には、メダル投入処理におけるＳ４２でエラー処理が行われることなく、そのメダル投入は正常であるとして、適正メダルカウント用検出手段３３によるメダル検出時点（Ｔ１３）でメダル投入枚数又はクレジット枚数に１が加算される。
【００８７】
また、図１７（ｂ）は、適正メダルが２個連続的に投入された場合の例を示している。この場合には、１個目のメダルが適正メダルカウント用検出手段３３により検出される時点（Ｔ２４）より前に、２個目のメダルが判定用検出手段３４を通過している（Ｔ１１′→Ｔ１２′）ため、適正メダルカウント用検出手段３３による１個目のメダル検出時点  （Ｔ１３）での１減算後のメダルカウント数ＭＣＮＴの値は１となるが、これも０≦ＭＣＮＴ≦１の条件を満たしているため、Ｓ６８においてエラーフラグがＯＮに設定されることはない。
【００８８】
その他のＳ２３，Ｓ２８，Ｓ３２においても、図１７（ａ）の場合と同様、エラーフラグがＯＮに設定されることはない。従って、図１７（ｂ）の場合にも、メダル投入処理におけるＳ４２でエラー処理が行われることなく、そのメダル投入は正常であるとして、適正メダルカウント用検出手段３３によるメダル検出時点（Ｔ１３）でメダル投入枚数又はクレジット枚数に１が加算される。
【００８９】
図１８〜図２１は、メダル投入処理に対して不正な操作が行われた場合の判定用検出手段３４と適正メダルカウント用検出手段３３との検出履歴の一例である。図１８の場合、判定用検出手段３４がＯＮになってからＯＦＦとなるまで（Ｔ２１→Ｔ２２）の判定用検出時間が２００ｍｓを超えているため、その判定用検出時間が２００ｍｓを超えた時点でＳ２８においてエラーフラグがＯＮに設定され、メダル投入処理におけるＳ４２でエラー処理が行われる。
【００９０】
この図１８のような状況は、メダルが判定用検出手段３４により検出された状態のまま詰まってしまったような特殊な場合を除き、正常にメダルが投入された場合にはあり得ない状況であるため、不正があったものと推定してエラー処理を行うようにしたものである。
【００９１】
図１９の場合、適正メダルカウント用検出手段３３によるメダル検出前に、判定用検出手段３４によるＯＮ／ＯＦＦが６回繰り返され、その６回目のＯＮ→ＯＦＦへの立ち下がり時点（Ｔ３１）でメダルカウント数ＭＣＮＴの値が６となってＭＣＮＴ＞５が条件が満たされるため、Ｓ３２においてエラーフラグがＯＮに設定され、メダル投入処理におけるＳ４２でエラー処理が行われる。
【００９２】
この図１９のような状況は、判定用検出手段３４の異常等の特殊な場合を除き、正常にメダルが投入された場合にはあり得ない状況であるため、不正があったものと推定してエラー処理を行うようにしたものである。
【００９３】
図２０の場合、判定用検出手段３４によるＯＮ／ＯＦＦが３回繰り返されており、その後に適正メダルカウント用検出手段３３によるメダル検出があった時点（Ｔ４１）では、１減算後のメダルカウント数ＭＣＮＴの値が２となり、０≦ＭＣＮＴ≦１の条件を満たさないため、Ｓ６８においてエラーフラグがＯＮに設定され、メダル投入処理におけるＳ４２でエラー処理が行われる。
【００９４】
この図２０のような状況は、判定用検出手段３４の異常等の特殊な場合を除き、正常にメダルが投入された場合にはあり得ない状況であるため、不正があったものと推定してエラー処理を行うようにしたものである。
【００９５】
図２１の場合、判定用検出手段３４によるＯＮ／ＯＦＦがないにも拘わらず、適正メダルカウント用検出手段３３によるメダル検出があったものであり、適正メダルカウント用検出手段３３によるメダル検出時点（Ｔ５１）での１減算後のメダルカウント数ＭＣＮＴの値は−１となり、０≦ＭＣＮＴ≦１の条件を満たさないため、Ｓ６８においてエラーフラグがＯＮに設定され、メダル投入処理におけるＳ４２でエラー処理が行われる。
【００９６】
この図２１のような状況は、判定用検出手段３４の異常等の特殊な場合を除き、正常にメダルが投入された場合にはあり得ない状況であるため、不正があったものと推定してエラー処理を行うようにしたものである。
【００９７】
以上説明したように、本実施形態のスロットマシンでは、適正メダルカウント用検出手段３３よりも上流側に設けられ且つ案内通路３１を流下するメダルから受ける機械的動作に基づいてメダルを検出する判定用検出手段３４を備え、判定用検出手段３４からの検出信号と適正メダルカウント用検出手段３３からの検出信号とに基づいてメダル投入が適正であるか否かを判定するように構成されているため、不正を行うためには適正メダルカウント用検出手段３３の他にメカスイッチたる判定用検出手段３４をも同時に誤動作させる必要があり、適正メダルカウント用検出手段３３を電気的に誤動作させることにより不正にクレジットを増加させる従来の投入口挿入式不正器具を用いた不正行為が不可能となることはもちろん、新たな不正器具による不正行為を効果的に防止できる利点がある。
【００９８】
判定用検出手段３４によるメダル検出に基づいて判定用メダル計数値ＭＣＮＴに所定値Ｘを加算し、前記適正メダルカウント用検出手段３３によるメダル検出に基づいて判定用メダル計数値ＭＣＮＴから所定値Ｘを減算するように構成され、適正メダルカウント用検出手段３３によるメダル検出後の判定用メダル計数値ＭＣＮＴの値が第１適正範囲内にないことを条件にそのメダル投入が不適正であると判定するように構成されているため、判定用検出手段３４による検出がない状態で適正メダルカウント用検出手段３３が検出状態にされた場合、或いは適正メダルカウント用検出手段３３が検出状態になる前に判定用検出手段３４が正常な状態ではありえない回数だけ検出状態になった場合のメダルカウントを無効とすることができ、不正行為を効果的に排除できる。
【００９９】
また、判定用検出手段３４によるメダル検出後に判定用メダル計数値ＭＣＮＴの値が第２適正範囲内にないことを条件にそのメダル投入が不適正であると判定するように構成されているため、判定用検出手段３４が正常な状態ではありえない回数連続的に検出状態になった場合はその時点で不適正と判断することができ、不正行為を効果的に排除できる。
【０１００】
更に、判定用検出手段３４によるメダル検出状態の継続時間が上限値を超えたことを条件にそのメダル投入が不適正であると判定するように構成されているため、判定用検出手段３４の検出状態が正常な状態ではありえない長時間継続した時点で不適正と判断することができ、不正行為を効果的に排除できる。
【０１０１】
更に、ゲーム中に判定用検出手段３４によるメダル検出があることを条件にそのメダル投入が不適正であると判定するように構成されているため、不正行為排除の信頼性が更に向上する。
【０１０２】
また、判定用検出手段３４を、メダル選別位置Ａよりも下流側でメダルを検出するように配置しているため、メダル選別位置Ａで不適正メダルとして排除されなかった場合にのみ判定用検出手段３４等に基づく不正行為の判定を行うことができ、制御処理が必要以上に複雑化することを防止できる。
【０１０３】
図２２〜図２４は本発明の第２の実施形態を例示し、判定用検出手段３４によるメダル検出から適正メダルカウント用検出手段３３によるメダル検出までの経過時間が適正範囲（第３適正範囲）内にないことを条件にそのメダル投入が不適正であると判定するように構成した例を示している。
【０１０４】
図２２に示すように、本実施形態の定期割り込み処理では、判定用検出手段３４の状態がＯＮからＯＦＦに変化した場合には（Ｓ２９：Ｙｅｓ）、メダルカウント数ＭＣＮＴに１が加算され（Ｓ３０）、その加算後のメダルカウント数ＭＣＮＴの値が適正範囲（第２適正範囲）内にある場合、即ちＭＣＮＴ＞５の条件が満たされていない場合には、検出間隔タイマーに初期値がセットされると共に（Ｓ３１ａ）、検出間隔フラグがＯＮに設定される（Ｓ３１ｂ）。
【０１０５】
なお、この検出間隔タイマーにセットされる初期値は、判定用検出手段３４によるメダル検出（ＯＮからＯＦＦへの立ち下がり時）から適正メダルカウント用検出手段３３によるメダル検出（第２適正メダルスイッチ６２のＯＮからＯＦＦへの立ち下がり時）までの経過時間の許容上限値に対応する値に設定される。この許容上限値は、適正メダルが投入された場合の上記経過時間よりも若干長い時間に設定すればすればよい。本実施形態では、判定用検出手段３４によるメダル検出から適正メダルカウント用検出手段３３によるメダル検出までの経過時間の許容上限値を約４００ｍｓとし、検出間隔タイマーに初期値として２６８（≒４００／１．４９０）を設定するものとする。
【０１０６】
そして、その後の定期割り込み処理において、判定用検出手段３４の状態が前回のＯＦＦ状態から変化していない場合には（Ｓ２９：Ｎｏ）、検出間隔フラグがＯＮであることを条件に、検出間隔タイマーの値が減算され（Ｓ２９ｂ）、その減算後のタイマー値が０であれば（Ｓ２９ｃ：Ｙｅｓ）、エラーフラグがＯＮに設定され（Ｓ２９ｄ）、定期割り込み処理は終了する。
【０１０７】
また、メダル投入検出処理では、図２３に示すように、Ｓ６３においてブロッカーソレノイド５８がＯＦＦとなった場合（Ｓ６２：Ｙｅｓ→Ｓ６３）、及びＳ６４において適正メダルの正常投入があったものと判定された場合には（Ｓ６５：Ｙｅｓ）、検出間隔フラグがＯＦＦに設定される（Ｓ６３ａ，Ｓ６５ａ）。なお、メダル投入検出処理を含むメダル投入処理、定期割り込み処理共、上記以外の処理については第１の実施形態と同様である。
【０１０８】
以上のような処理を行うことにより、図２４に示すように、判定用検出手段３４によるメダル検出があった後、所定時間（約４００ｍｓ）以内に適正メダルカウント用検出手段３３によるメダル検出がない場合には（Ｔ６１）、Ｓ２９ｄにおいてエラーフラグがＯＮに設定され、メダル投入処理におけるＳ４２でエラー処理が行われる。
【０１０９】
このように、判定用検出手段３４によるメダル検出から適正メダルカウント用検出手段３３によるメダル検出までの経過時間が適正範囲（第３適正範囲）内にないことを条件にそのメダル投入が不適正であると判定する処理を更に行うことにより、判定用検出手段３４による検出後に正常な状態ではありえない長時間が経過しても次の適正メダルカウント用検出手段３３による検出がなかった時点で不適正と判断することができ、不正行為を更に効果的に排除できる。
【０１１０】
図２５〜図２７は本発明の第３の実施形態を例示し、判定用検出手段３４を、不許可戻し位置Ｂよりも上流側の例えばメダル選別位置Ａの近傍に設けた例を示している。
【０１１１】
図２５〜図２７に示すように、本実施形態では、判定用検出手段３４が、メダル選別位置Ａに対応してその近傍の後側に配置され、例えば上流側カバープレート４３の背面側に装着されている。
【０１１２】
判定用検出手段３４の構成自体は第１の実施形態と基本的に同じである。即ち、判定用検出手段３４は、作動片６３が案内通路３１側に突出した非作動状態と、案内通路３１内を流下するメダルに押されて作動片６３が案内通路３１の外側に向けて待避した作動状態とに変化可能な作動部材６４と、この作動部材６４が作動状態にあることを検出する判定用スイッチ６５とを備えている。
【０１１３】
作動部材６４は、例えば上流側カバープレート４３の背面側に配置され、略上下方向の軸廻りに回転可能に支持された回転軸部６６と、この回転軸部から案内通路３１の下流側に向けて突設された回転アーム部６７と、この回転アーム部６７の先端側から前向きに突設された作動片６３と、回転アーム部６７の先端側から所定方向、例えば案内通路３１の下流側に向けて延設された検出片６８とを例えば一体に備えている。
【０１１４】
また、作動部材６４は、作動片６３が上流側カバープレート４３側の貫通孔６９′を介して案内通路３１側に突出した非作動状態と、作動片６３が案内通路３１の外側、即ち後側に向けて待避した作動状態との間で揺動可能であり、バネ部材７０により非作動状態側に弾性付勢されている。なお、作動片６３の先端側縁部は、非作動状態のときに案内通路３１の上流側から下流側に向けて徐々に案内通路３１側への突出量が大きくなる傾斜状に形成されている。
【０１１５】
判定用スイッチ６５は、例えば透過型フォトセンサにより構成されており、作動部材６４が作動状態になったときに検出片６８を検出する位置に配置されている。
【０１１６】
なお、作動部材６４、判定用スイッチ６５等は、１つの装着フレーム７１を介して上流側カバープレート４３の背面側に着脱自在に装着されている。
【０１１７】
なおこの場合、判定用検出手段３４を、メダル選別位置Ａよりも下流側でメダルを検出するように配置して、メダル選別位置Ａで案内通路３１上から除去されなかったメダルのみを判定用検出手段３４により検出可能とすることが望ましい。この場合には、定期割り込み処理及びメダル投入処理は第１の実施形態と同様に行えばよい。
【０１１８】
また、判定用検出手段３４を、メダル選別位置Ａよりも上流側でメダルを検出するように配置して、その後にメダル選別位置Ａで案内通路３１上から除去されるか否かに拘わらず全てのメダルを判定用検出手段３４により検出するように構成してもよい。但しこの場合には、例えば適正メダルよりも厚い不適正メダルが投入された場合に、判定用検出手段３４をＯＮにした状態で詰まってしまう場合があり、また、例えば不適正メダルが連続的に投入された場合にも、定期割り込み処理のＳ３０においてメダルカウント数ＭＣＮＴの値が加算され、Ｓ３２においてエラーフラグがＯＮに設定される場合があること等に注意が必要である。
【０１１９】
以上、本発明の実施形態について詳述したが、本発明はこれらの実施形態に限定されるものではなく、本発明の趣旨を逸脱しない範囲で種々の変更が可能である。例えば、適正メダルカウント用検出手段３３は、フォトセンサ以外の非接触式の各種検出手段を用いてもよく、またメダルから受ける機械的動作に基づいてメダルを検出する接触式の検出手段を用いてもよい。また適正メダルカウント用検出手段３３は、１個又は３個以上のスイッチにより構成してもよい。
【０１２０】
判定用検出手段３４は、２以上のスイッチにより構成してもよい。この場合、適正メダルカウント用検出手段３３と同様、それら複数のスイッチからの各検出信号に基づいて、それら検出信号が所定のエラー検出条件を満たしているか否かを判定し、エラー検出条件を満たさない場合に判定用検出手段３４によるメダル検出があったものと判定するように構成してもよい。
【０１２１】
実施形態で示したＳ２３，Ｓ２８，Ｓ３２，Ｓ６８，Ｓ２９ｄに係る５種類のエラー判定は、それらを全て行うことが望ましいが、状況に応じてそれらのうちの１又は複数のみを行うようにしてもよい。
【０１２２】
また、エラー判定に用いる判定条件、即ち第１〜第３適正範囲等については、そのメダル選別手段２６の構成等に応じて適切な値に設定すればよい。
【０１２３】
実施形態では、判定用検出手段３４によるメダル検出に基づいて判定用メダル計数値ＭＣＮＴに所定値Ｘを加算し（Ｓ３０）、適正メダルカウント用検出手段３３によるメダル検出に基づいて判定用メダル計数値ＭＣＮＴから所定値Ｘを減算する（Ｓ６６）ように構成したが、判定用検出手段３４によるメダル検出に基づいて判定用メダル計数値ＭＣＮＴから所定値Ｘを減算し、適正メダルカウント用検出手段３３によるメダル検出に基づいて判定用メダル計数値ＭＣＮＴに所定値Ｘを加算するように構成してもよい。
【０１２４】
この場合、第１適正範囲は−Ｘ×Ｙ≦ＭＣＮＴ≦０、第２適正範囲は−Ｘ×（Ｙ＋１）−α≦ＭＣＮＴとすればよい。また、ＭＣＮＴに加算又は減算する所定値Ｘは１以外の値でもよい。
【０１２５】
実施形態では、１枚のメダルにより判定用スイッチ６５と第１適正メダルスイッチ６１とが同時にＯＮになることがない位置に夫々のスイッチ６５，６１を配置したが（図１７参照）、判定用スイッチ６５と第１適正メダルスイッチ６１とを、それらが１枚のメダルにより同時にＯＮになる位置に配置してもよい。
【０１２６】
定期割り込み処理（図１３等）におけるＳ２２では、メダル受付不可期間中か否か、即ちブロッカーソレノイド５８がＯＦＦであるか否かを判定するようにしてもよい。
【０１２７】
メダル投入検出処理（図１５）は、ブロッカーソレノイド５８がＯＮの場合、即ちメダル受付不可期間中以外の場合にのみ行うようにしてもよい。この場合、定期割り込み処理（図１３等）もブロッカーソレノイド５８がＯＮの場合（メダル受付不可期間中以外の場合）にのみ行うようにすればよい。
【０１２８】
適正メダルカウント用検出手段３３の検出信号の判定処理（Ｓ６４）におけるエラーと、判定用スイッチ６５の検出信号に関連するエラー、即ちＳ２３，Ｓ２８，Ｓ３２，Ｓ６８，Ｓ２９ｄにおいてエラーフラグがＯＮにされた場合のエラーとで、異なるエラー報知を行うようにしてもよい。
【０１２９】
判定用スイッチ６５の検出信号に関連するエラーが発生した場合、即ちＳ２３，Ｓ２８，Ｓ３２，Ｓ６８，Ｓ２９ｄにおいてエラーフラグがＯＮにされた場合には、遊技を停止することなくエラー情報を外部に出力するようにしてもよい。これにより、不正行為者の摘発がより容易になると考えられる。
【０１３０】
なお、実施形態では、本発明をスロットマシンに適用した例を示したが、遊技媒体としてメダルを使用するものであればどのような種類の遊技機においても同様に実施可能であることは言うまでもない。
【図面の簡単な説明】
【０１３１】
【図１】本発明の第１の実施形態を示すスロットマシンの正面図である。
【図２】本発明の第１の実施形態を示すスロットマシンの本体ケースの正面図である。
【図３】本発明の第１の実施形態を示すメダル選別手段の背面図である。
【図４】本発明の第１の実施形態を示すメダル選別手段の平面図である。
【図５】本発明の第１の実施形態を示すメダル選別手段の正面図である。
【図６】本発明の第１の実施形態を示すメダル選別手段のベースプレート側の背面図である。
【図７】本発明の第１の実施形態を示す不適正メダル除去手段の動作説明図である。
【図８】本発明の第１の実施形態を示すメダル落とし孔開閉手段の動作説明図である。
【図９】本発明の第１の実施形態を示す判定用検出手段の動作説明図である。
【図１０】本発明の第１の実施形態を示すメダル選別手段の適正メダルカウント用検出手段の近傍における縦断面図である。
【図１１】本発明の第１の実施形態を示す制御系のブロック図である。
【図１２】本発明の第１の実施形態を示す遊技制御処理のフローチャートである。
【図１３】本発明の第１の実施形態を示す定期割り込み処理のフローチャートである。
【図１４】本発明の第１の実施形態を示すメダル投入処理のフローチャートである。
【図１５】本発明の第１の実施形態を示すメダル投入検出処理のフローチャートである。
【図１６】本発明の第１の実施形態を示す適正メダルカウント用検出手段によるエラー検出条件の一例である。
【図１７】本発明の第１の実施形態において適正メダルがゲーム開始前に正常投入された場合の判定用検出手段と適正メダルカウント用検出手段との検出履歴の一例である。
【図１８】本発明の第１の実施形態においてメダル投入処理に対して不正な操作が行われた場合の判定用検出手段と適正メダルカウント用検出手段との検出履歴の一例である
【図１９】本発明の第１の実施形態においてメダル投入処理に対して不正な操作が行われた場合の判定用検出手段と適正メダルカウント用検出手段との検出履歴の一例である
【図２０】本発明の第１の実施形態においてメダル投入処理に対して不正な操作が行われた場合の判定用検出手段と適正メダルカウント用検出手段との検出履歴の一例である
【図２１】本発明の第１の実施形態においてメダル投入処理に対して不正な操作が行われた場合の判定用検出手段と適正メダルカウント用検出手段との検出履歴の一例である
【図２２】本発明の第２の実施形態を示す定期割り込み処理のフローチャートである。
【図２３】本発明の第２の実施形態を示すメダル投入検出処理のフローチャートである。
【図２４】本発明の第２の実施形態においてメダル投入処理に対して不正な操作が行われた場合の判定用検出手段と適正メダルカウント用検出手段との検出履歴の一例である
【図２５】本発明の第３の実施形態を示すメダル選別手段の背面図である。
【図２６】本発明の第３の実施形態を示すメダル選別手段の平面図である。
【図２７】本発明の第３の実施形態を示すメダル選別手段の判定用検出手段の近傍における平面断面図である。
【符号の説明】
【０１３２】
１０  メダルホッパー（メダル貯留部）
１７  メダル投入口
３１  案内通路
３２  不適正メダル除去手段
３３  適正メダルカウント用検出手段
３４  判定用検出手段
Ａ  メダル選別位置
【図１】
2007000426.tif 000003
【図２】
2007000426.tif 000004
【図３】
2007000426.tif 000005
【図４】
2007000426.tif 000006
【図５】
2007000426.tif 000007
【図６】
2007000426.tif 000008
【図７】
2007000426.tif 000009
【図８】
2007000426.tif 000010
【図９】
2007000426.tif 000011
【図１０】
2007000426.tif 000012
【図１１】
2007000426.tif 000013
【図１２】
2007000426.tif 000014
【図１３】
2007000426.tif 000015
【図１４】
2007000426.tif 000016
【図１５】
2007000426.tif 000017
【図１６】
2007000426.tif 000018
【図１７】
2007000426.tif 000019
【図１８】
2007000426.tif 000020
【図１９】
2007000426.tif 000021
【図２０】
2007000426.tif 000022
【図２１】
2007000426.tif 000023
【図２２】
2007000426.tif 000024
【図２３】
2007000426.tif 000025
【図２４】
2007000426.tif 000026
【図２５】
2007000426.tif 000027
【図２６】
2007000426.tif 000028
【図２７】
2007000426.tif 000029